(57)【要約】【課題】複雑な立体形状を実現することができる型厚紙玩具を提供することを目的とする。【解決手段】本発明に係る厚紙玩具は、厚紙によって構成され、口部分を開閉する動物の形状を模した立体形状から平面形状に可変である本体部１１と、厚紙によって構成され、本体部１１を収納する収納口１２０が設けられた収納部１２とを有する厚紙玩具１である。この厚紙玩具１は、本体部１１は、動物の外形を模した形状を有し、内部に空洞を有する外形厚紙２１１，２１２と、動物の口部分を模した形状を有し、外形厚紙２１１，２１２に開閉可能に開口された口状開口部２１３，２１４と、外形厚紙２１１，２１２の空洞に取付けられ、口状開口部２１３，２１４が開閉する方向に弾性を伝達する輪ゴム２１５とを備える。【選択図】図１
2007275288.tif 000002
【特許請求の範囲】
【請求項１】
厚紙によって構成され、口部分を開閉する動物の形状を模した立体形状から平面形状に可変である本体部と、
厚紙によって構成され、前記本体部を収納する収納口が設けられた収納部とを有する厚紙玩具であって、
前記本体部は、
前記動物の外形を模した形状を有し、内部に空洞を有する外形部と、
前記動物の口部分を模した形状を有し、前記外形部に開閉可能に開口された口状開口部と、
前記外形部の空洞に取付けられ、前記口状開口部が開閉する方向に弾性を伝達する弾性部とを備え、
前記本体部が前記収納部に収納された場合には、
前記外形部は、前記空洞が潰れたような平面形状を有し、
前記口状開口部は、当該外形部が平面形状になることによって開き、当該開いた状態で前記収納口の近傍に配設され、
前記弾性部は、前記外形部が平面形状になることによって弾性を有し、
前記本体部が前記収納部から取り出された場合には、
前記外形部は、前記弾性部の弾性によって立体形状に戻り、
前記口状開口部は、前記外形部が立体形状になることによって閉じる厚紙玩具。
【請求項２】
前記本体部は、前記動物の舌部分を模した形状を有し、前記外形部の空洞に固着された舌状部を、さらに備え、
前記収納部は、前記収納口の周辺に配設された切欠き部を、さらに備え、
前記本体部が前記収納部に収納された場合には、
前記舌状部は、前記外形部が平面形状を有した状態で前記切欠き部から露出し、
前記本体部が前記収納部から取り出される場合には、
前記本体部は、前記舌状部が引っ張られることによって取り出されることを特徴とする請求項１記載の厚紙玩具。
【請求項３】
厚紙によって構成され、口部分を開閉する動物の形状を模した立体形状を有する厚紙玩具であって、
前記動物の外形を模した形状を有し、内部に空洞を有する外形部と、
前記動物の顎部分を模した形状を有する顎部と、
当該顎部に対向した状態で前記外形部に回動可能に固着された対向顎部と、
前記対向顎部が前記顎部に向かって回動する方向に前記対向顎部を引っ張る弾性部とを備え、
前記外形部は、前記空洞が潰されたような平面形状を有し、
前記弾性部は、当該外形部が平面状になることによって、前記対向顎部を引っ張った状態を解除し、
前記対向顎部は、前記顎部から離間することによって前記顎部に対して開く厚紙玩具。
【請求項４】
厚紙によって構成され、所定の立体形状を模した形状を有する厚紙玩具であって、
所定の外形面と、
前記所定の外形面に回動可能に固着されるとともに隣接面が互いに離間し、前記所定の外形面とともに前記所定の立体形状を構成する複数の外形面と、
前記前記外形面と前記複数の外形面とによって囲まれた内側において、前記所定の外形面に平行に配設された所定の内面と、
当該所定の内面に回動可能に固着されるとともに隣接面が互いに離間し、それぞれの外縁が対応した前記複数の外形面の内面に固着された前記複数の内面と、
前記複数の外縁に沿って取付けられ、前記複数の内面を前記所定の内面に向かって弾性を伝達する弾性部とを備え、
前記所定の外形面が押さえられた場合には、
前記複数の外形面は、前記所定の外形面を中心に広がることによって平面形状を有し、
前記複数の内面は、当該複数の外形面が広がるのに応じて前記所定の内面を中心に広がり、
前記弾性部は、前記複数の内面が広がることによって外側に向かって引っ張られ、
前記所定の外形面が押さえられた状態が解除された場合には、
前記弾性部は、前記複数の内面を前記所定の内面に向かって弾性を伝達し、
前記複数の内面は、前記弾性部による弾性によって前記所定の内面を中心に内側に向かって萎み、
前記複数の外形面は、前記複数の内面が萎むことによって、前記所定の外形面を中心に萎んで前記立体形状に戻る厚紙玩具。
【請求項５】
厚紙によって構成され、所定の立体形状から平面形状に可変である本体部と、
厚紙によって構成され、前記本体部を収納する収納部とを有する厚紙玩具であって、
前記本体部は、
前記立体形状の外形を模した形状を有し、内側に配設された空洞と、折り畳まれる折り畳み部分とを有する外形部と、
前記外形部の空洞に取付けられ、前記折り畳み部分が折り畳まれる方向に弾性を伝達する弾性部とを備え、
前記本体部が前記収納部に収納された場合には、
前記外形部は、前記折り畳み部分が折り畳まれることによって、前記空洞が潰れたような平面形状を有し、
前記弾性部は、前記折り畳み部分が折り畳まれることによって弾性を有し、
前記本体部が前記収納部から取り出された場合には、
前記外形部は、前記折り畳み部分が前記弾性部の弾性によって戻ることによって立体形状に戻る厚紙玩具。
【請求項６】
前記収納部は、前記本体部が収納される収納口の周辺に配設された切欠き部を、さらに備え、
前記本体部が前記収納部に収納された場合には、
前記本体部の一部は、前記外形部が平面形状を有した状態で前記切欠き部から露出し、
前記本体部が前記収納部から取り出される場合には、
前記本体部は、前記露出した本体部の一部が引っ張られることによって取り出されることを特徴とする請求項５記載の厚紙玩具。
【発明の詳細な説明】
【技術分野】
【０００１】
本発明は、厚紙玩具及びその型紙シートに関する。
【背景技術】
【０００２】
従来から、種々の紙製の玩具が作成され、例えば、立体絵本、いわゆるポップアップ絵本がよく知られている。この立体絵本では、雑誌の一部に動物のイラストや文字等の立体造形物が平面状に折り畳まれた状態で挟み込まれている。読者がこの立体造形物が挟み込まれたページを開くことによって、立体造形物が立体的に飛び出し、立体的な効果を演出している。このような立体絵本の一例が、特許文献１に開示されている。
【特許文献１】特開２００４−２０９１１４号公報
【発明の開示】
【発明が解決しようとする課題】
【０００３】
このように、従来の紙玩具では、雑誌等の平面的な物品に挟み込まれているため、飛び出して形成される立体形状に限界があり、複雑な立体形状を実現することが困難であるという問題があった。
本発明は、このような問題点を解決するためになされたものであり、複雑な立体形状を実現することができる紙玩具を提供することを目的とする。
【課題を解決するための手段】
【０００４】
本発明に係る厚紙玩具は、厚紙によって構成され、口部分を開閉する動物の形状を模した立体形状から平面形状に可変である本体部と、厚紙によって構成され、前記本体部を収納する収納口が設けられた収納部とを有する厚紙玩具であって、前記本体部は、前記動物の外形を模した形状を有し、内部に空洞を有する外形部と、前記動物の口部分を模した形状を有し、前記外形部に開閉可能に開口された口状開口部と、前記外形部の空洞に取付けられ、前記口状開口部が開閉する方向に弾性を伝達する弾性部とを備え、前記本体部が前記収納部に収納された場合には、前記外形部は、前記空洞が潰れたような平面形状を有し、前記口状開口部は、当該外形部が平面形状になることによって開き、当該開いた状態で前記収納口の近傍に配設され、前記弾性部は、前記外形部が平面形状になることによって弾性を有し、前記本体部が前記収納部から取り出された場合には、前記外形部は、前記弾性部の弾性によって立体形状に戻り、前記口状開口部は、前記外形部が立体形状になることによって閉じるものである。
【０００５】
さらに、本発明に係る厚紙玩具は、前記本体部は、前記動物の舌部分を模した形状を有し、前記外形部の空洞に固着された舌状部を備え、前記収納部は、前記収納口の周辺に配設された切欠き部を備え、前記本体部が前記収納部に収納された場合には、前記舌状部は、前記外形部が平面形状を有した状態で前記切欠き部から露出し、前記本体部が前記収納部から取り出される場合には、前記本体部は、前記舌状部が引っ張られることによって取り出される。
【０００６】
他方、本発明に係る厚紙玩具は、厚紙によって構成され、口部分を開閉する動物の形状を模した立体形状を有する厚紙玩具であって、前記動物の外形を模した形状を有し、内部に空洞を有する外形部と、前記動物の顎部分を模した形状を有する顎部と、当該顎部に対向した状態で前記外形部に回動可能に固着された対向顎部と、前記対向顎部が前記顎部に向かって回動する方向に前記対向顎部を引っ張る弾性部とを備え、前記外形部は、前記空洞が潰されたような平面形状を有し、前記弾性部は、当該外形部が平面状になることによって、前記対向顎部を引っ張った状態を解除し、前記対向顎部は、前記顎部から離間することによって前記顎部に対して開くものである。
【０００７】
さらに、本発明に係る厚紙玩具は、厚紙によって構成され、所定の立体形状を模した形状を有する厚紙玩具であって、所定の外形面と、前記所定の外形面に回動可能に固着されるとともに隣接面が互いに離間し、前記所定の外形面とともに前記所定の立体形状を構成する複数の外形面と、前記前記外形面と前記複数の外形面とによって囲まれた内側において、前記所定の外形面に平行に配設された所定の内面と、当該所定の内面に回動可能に固着されるとともに隣接面が互いに離間し、それぞれの外縁が対応した前記複数の外形面の内面に固着された前記複数の内面と、前記複数の外縁に沿って取付けられ、前記複数の内面を前記所定の内面に向かって弾性を伝達する弾性部とを備え、前記所定の外形面が押さえられた場合には、前記複数の外形面は、前記所定の外形面を中心に広がることによって平面形状を有し、前記複数の内面は、当該複数の外形面が広がるのに応じて前記所定の内面を中心に広がり、前記弾性部は、前記複数の内面が広がることによって外側に向かって引っ張られ、前記所定の外形面が押さえられた状態が解除された場合には、前記弾性部は、前記複数の内面を前記所定の内面に向かって弾性を伝達し、前記複数の内面は、前記弾性部による弾性によって前記所定の内面を中心に内側に向かって萎み、前記複数の外形面は、前記複数の内面が萎むことによって、前記所定の外形面を中心に萎んで前記立体形状に戻るものである。
【０００８】
また、本発明に係る厚紙玩具は、厚紙によって構成され、所定の立体形状から平面形状に可変である本体部と、厚紙によって構成され、前記本体部を収納する収納部とを有する厚紙玩具であって、前記本体部は、前記立体形状の外形を模した形状を有し、内側に配設された空洞と、折り畳まれる折り畳み部分とを有する外形部と、前記外形部の空洞に取付けられ、前記折り畳み部分が折り畳まれる方向に弾性を伝達する弾性部とを備え、前記本体部が前記収納部に収納された場合には、前記外形部は、前記折り畳み部分が折り畳まれることによって、前記空洞が潰れたような平面形状を有し、前記弾性部は、前記折り畳み部分が折り畳まれることによって弾性を有し、前記本体部が前記収納部から取り出された場合には、前記外形部は、前記折り畳み部分が前記弾性部の弾性によって戻ることによって立体形状に戻るものである。
【０００９】
またさらに、本発明に係る厚紙玩具は、前記収納部は、前記本体部が収納される収納口の周辺に配設された切欠き部を備え、前記本体部が前記収納部に収納された場合には、前記本体部の一部は、前記外形部が平面形状を有した状態で前記切欠き部から露出し、前記本体部が前記収納部から取り出される場合には、前記本体部は、前記露出した本体部の一部が引っ張られることによって取り出される。
【発明の効果】
【００１０】
本発明によれば、複雑な立体形状を実現することができる厚紙玩具を提供することができる。
【発明を実施するための最良の形態】
【００１１】
以下、本発明を実施するための最良の形態について図を参照して説明する。
発明の実施の形態１．
本実施形態１では、平面状に折り畳まれた所定の立体造形物が封筒に収納され、この封筒から取り出されると、平面形状から立体形状に変わる厚紙玩具について説明する。
まず、図１，２を用いて、本発明に係る厚紙玩具の全体構成について説明する。図１，２は、本発明に係る厚紙玩具の全体構成を示す斜視図である。図１，２に示すように、この厚紙玩具１は、厚紙から構成された本体部１１、収納部１２を有する。
【００１２】
図１，２に示すように、本体部１１は、収納部１２から取り出された状態で立体形状を有する。詳細には、この本体部１１の立体形状は、立体的に動作可能な所定の動物を模した形状であり、何らかの動作を行う機構を有する対象物を模した形状である。例えば、本体部１１の立体形状は、実在の動物や植物を模した立体形状、お化け・怪物や漫画に登場するキャラクター・イラスト等の架空の動物を模した立体形状とすることができる。
このような本体部１１の内部は、後述するように、平面状に折り畳まれるようにほぼ中空である。換言すれば、本体部１１は、所定の動物を模したように形状となるように、厚紙を用いて形作られている。つまり、本体部１１の内部は空洞であり、その外形のみが厚紙を用いた所定の動物の外形を有する。
【００１３】
図１，２に示すように、本体部１１は、収納部１２に収納された状態で平面形状を有し、詳細には、その内部の空洞が潰れることによって所定の動物を平面状に潰したような形状を有する。このとき、本体部１１は、この模した動物の関節等の動作機構に沿って平面状に潰れている。従って、本体部１１の形状が平面形状から立体形状に変化するとき、あたかも動物が動作するかのように形状を変化させる。
収納部１２は、封筒等の平面状の形状を有し、紙等のような平面状の物品を収納する。物品が収納される収納部１２の収納口付近には、切欠き部１２０が設けられている。
【００１４】
続いて、図３を用いて、本発明に係る本体部１１の詳細な構成について説明する。図３は、本発明に係る厚紙玩具１の内部構成を示す斜視図である。ここで、図１,２を参照しながら説明する。
図１，２に示された本体部１１は、骸骨を基にして作成された怪物を模した立体形状を有する。具体的には、本体部１１は、外形厚紙２１１，２１２、口状開口部２１３，２１４、輪ゴム２１５、舌状厚紙２１６を有する。
外形厚紙２１１，２１２は、本体部１１の外観を形作る外観形成部の一例であり、骸骨に模した外観が形作られている。外形厚紙２１１，２１２はともに、一部が切り取られた六角形状の形状を有し、その中心と各頂点とを結ぶ部分に折り目が作成されている。
【００１５】
口状開口部２１３，２１４は、本体部１１によって構成された骸骨の口となる部分である。より具体的には、口状開口部２１３，２１４は、略六角形状の形状を有する外形厚紙２１１，２１２から切り取られた部分である。具体的には、口状開口部２１３，２１４は、外形厚紙２１１，２１２の一辺と中心とを結ぶ三角形状の形状を有する。
輪ゴム２１５は、弾性を有する弾性手段の一例であり、ばね等の弾性を有すものであればよい。
舌状厚紙２１６は、本体部１１によって構成されている骸骨の舌となる部分であり、矩形状の小片である。
【００１６】
このような各部材を貼り合せることによって、骸骨を模した形状の本体部１１が構成される。
具体的には、外形厚紙２１１，２１２は、それぞれの外縁が重ね合わせられ、口状開口部２１３，２１４の外縁以外の外縁において貼り合せられている。外形厚紙２１１，２１２の外縁のみが貼り合せられ、その内側は貼り合せられていない。これによって、外形厚紙２１１，２１２によって形作られた外形の内部は中空となる。すなわち、外形厚紙２１１，２１２の内部に空洞が設けられている。
輪ゴム２１５は、互いに貼り合せられた外形厚紙２１１，２１２の内側面に取付けられる。詳細には、輪ゴム２１５は、口状開口部２１３，２１４を挟んで両側に取付けられ、口状開口部２１３，２１４を挟む外形厚紙２１１，２１２に弾性力に伝達可能となる。
【００１７】
外形厚紙２１１，２１２の中心と各頂点とを結ぶ直線に沿って折り目が形成され、それぞれの外縁のみが貼り付けられている。これによって、外形厚紙２１１，２１２は、折り目に沿って外側に膨らみ、口状開口部２１３，２１４が上下に重なって閉じる。口状開口部２１３，２１４が閉じた状態で、外形厚紙２１１，２１２が両側（左右）から押さえられたとする。口状開口部２１３，２１４の外縁が貼り合せられていないので、口状開口部２１３，２１４が開き、立体的に膨らんでいた外形厚紙２１１，２１２は、平面状に潰れる。換言すれば、外形厚紙２１１，２１２は、両側から押さえられることによって、お互いに近づいて平面状になる。
輪ゴム２１５は、口状開口部２１３，２１４を挟んで取付けられているので、外形厚紙２１１，２１２が押さえられる方向に直角の方向に引張可能に取付けられている。そのため、輪ゴム２１５は、外形厚紙２１１，２１２が平面状につぶれた状態で、外形厚紙２１１，２１２を引っ張っている。
【００１８】
舌状厚紙２１６の一端は、外形厚紙２１１，２１２の中心付近に貼り付けられ、その他端は貼り付けられていない。この貼り付けられていない舌状厚紙２１６の端部は、口状開口部２１３，２１４の位置に配置されている。舌状厚紙２１６は、外形厚紙２１１，２１２に沿って貼り付けられ、輪ゴム２１５の弾性力が働く方向とは垂直に貼り付けられている。舌状厚紙２１６は、外形厚紙２１１，２１２が押さえられると、貼り付けられていない端部が口状開口部２１３，２１４から突出する。これによって、本体部１１によって構成された骸骨は、口の部分から舌を出したような状態となる。
【００１９】
さらに続いて、図４を用いて、本発明に係る厚紙玩具１の使用形態について説明する。図４は、本発明に係る厚紙玩具１の使用形態を示す斜視図である。
図４（ａ）に示すように、使用者は、本体部１１の外形厚紙２１１，２１２を両側から押さえ、本体部１１を平面状にして、この平面状の本体部１１を収納部１２に収納する。このとき、平面状の本体部１１は、収納部１２が構成する平面状の形状に沿って収納され、本体部１１の外形厚紙２１１，２１２は、収納部１２によって両側から押された状態で収納される。従って、本体部１１は、骸骨が口から舌を出したような状態で収納部１２に収納され、口状開口部２１３，２１４から舌状厚紙２１６が突出している。この突出した舌状厚紙２１６は、図４（ｂ）に示すように、収納部１２の収納口付近に配置され、詳細には切欠き部１２０から露出している。
【００２０】
図４（ｃ）に示すように、使用者は、収納部１２の口状開口部１２０から舌状厚紙２１６が露出しているので、露出した舌状厚紙２１６を視認し、この舌状厚紙２１６を指で摘んで取り出す。本体部１１が収納部１２から取り出されると、収納部１２内で両側から押さえられていた本体部１１は、輪ゴム２１５の弾性力によって平面形状から立体形状となる。これによって、本体部１１の口状開口部２１３，２１４が閉じるので、舌状厚紙２１６を摘む使用者の指は、口状開口部２１３，２１４の間に挟まり、骸骨によって噛まれたような状態となる。
【００２１】
次に、図５を用いて、本発明に係る厚紙玩具１の型紙シートについて説明する。図５は、本発明に係る厚紙玩具１の型紙シートの一例を示す平面図である。
図５に示すように、型紙シート２１０には、本体部１１、収納部１２の展開図が印刷されている。具体的には、本体部１１の外形厚紙２１１，２１２が切り開かれた状態で印刷され、収納部１２もまた切り開かれた状態で印刷されている。これらとともに、舌状厚紙２１６が個別で印刷されている。このように印刷された型紙シート２１０には、のりしろ２１１、山折線２１２、谷折線２１３等が印刷されている。
【００２２】
以上のように、本発明に係る厚紙玩具１では、骸骨を模した本体部１１は、立体形状から平面形状になるとき、口を閉じた骸骨から口から舌を出した骸骨になる。これによって、骸骨が口を開閉するような複雑な立体形状を実現することができる。さらに、本発明に係る厚紙玩具１では、本体部１１は、平面状の収納部１２から取り出されると、口を閉じた骸骨のような立体形状で出現する。特に、使用者は、舌状厚紙２１６を摘んで取り出すので、骸骨が使用者の指を噛み付いたような状態となる。これによって、使用者を楽しませることができる。
【００２３】
発明の実施の形態２．
実施形態１では、本体部１１と収納部１２とが組み合わせた厚紙玩具１について説明したが、本実施形態２では、単体で立体的に形状を変える厚紙玩具について説明する。より具体的には、本実施形態２では、押さえられると口が開閉するようなワニのような厚紙玩具について説明する。
【００２４】
まず、図６,７を用いて、本実施形態２の厚紙玩具の全体構成について説明する。図６，７は、本実施形態２の厚紙玩具の一構成例を示す斜視模式図である。図６に示すように、厚紙玩具３０は、ワニを模したような立体形状を有し、具体的には、胴体厚紙３１１、上顎厚紙３１２、下顎厚紙３１３、舌状厚紙３１４を有する。
【００２５】
上顎厚紙３１２は、胴体厚紙３１１に回動可能に固着され、詳細には、胴体厚紙３１１の背面部に折り目が入れられた状態で固着されている。
下顎厚紙３１３もまた、胴体厚紙３１１の腹部に固着されているが、上顎厚紙３１２と異なり、胴体厚紙３１１の腹部に対して固定されている。
舌状厚紙３１４は、実施形態１における舌状厚紙２１６と同様である。
【００２６】
このような厚紙玩具３０では、下顎厚紙３１３が胴体厚紙３１１に固定されているのに対して、上顎厚紙３１２の先端が胴体厚紙３１１との固着部分を軸として上方に持ち上がる。また、上顎厚紙３１２は、厚紙玩具３０が設置された状態で設置面に平行に配置されている。舌状厚紙３１４は、この状態で上顎厚紙３１２と下顎厚紙３１３の間から露出している。すなわち、厚紙玩具３０は、ワニが口を開け、口から舌を出したような状態となる。
【００２７】
続いて、図８を用いて、本実施形態２の厚紙玩具３０について詳細に説明する。図８は、本実施形態２の厚紙玩具３０の一構成例を示す斜視模式図である。
図８（ａ）に示すように、舌状厚紙３１４は、上顎厚紙３１２の内側に固着され、詳細には、上顎厚紙３１２の内側に突出した突出部分に固着されている。この上顎厚紙３１２の突出部分は、上顎厚紙３１２が厚紙玩具３０の設置面に平行な状態で、この設置面に向かって下方に突出している。従って、この突出部分は、上顎厚紙３１２の上部に垂設され、この上部と直角に配設されている。
【００２８】
より具体的には、舌状厚紙３１４は、その主面が上顎厚紙３１２の内面と鋭角の状態で固着されている。従って、舌状厚紙３１４は、上顎厚紙３１２とともに、胴体厚紙３１１に対して回動可能に固着されている。舌状厚紙３１４は、上顎厚紙３１２の先端が持ち上がるのに応じて、上顎厚紙３１２と下顎厚紙３１３との間から露出するとともに、その先端部分は、上顎厚紙３１２との固着部分を軸に持ち上がる。
【００２９】
図８（ａ）に示すように、厚紙玩具３０は、上記の各厚紙に加えて、輪ゴム３１５を有する。輪ゴム３１５は、舌状厚紙３１４の固着部分付近において舌状厚紙３１４の上面に引っ掛けられ、舌状厚紙３１４の両端から後方へと延びている。
輪ゴム３１５は、図８（ｂ）に示すように、胴体厚紙３１１の腹部に引っ掛けられ、この状態で延びた状態を保っている。輪ゴム３１５は、この弾性力によって舌状厚紙３１４を下方に押し、舌状厚紙３１４に固着された上顎厚紙３１２を下方へと押している。この下方に押された上顎厚紙３１２は、その下方に設けられた下顎厚紙３１３によって支えられている。
【００３０】
このように、通常は、厚紙玩具３０は、上顎厚紙３１２と下顎厚紙３１３とが閉じたい状態を維持している。胴体厚紙３１１が外形を形作った状態で、腹部には空洞が形成されている。胴体厚紙３１１が上方から押さえられると、この腹部の空洞が潰れるので、胴体厚紙３１１は平面状の形状となる。輪ゴム３１５は、胴体厚紙３１１の空洞が潰れることによって引張状態から開放され、その弾性によって押さえられた上顎厚紙３１２は、この状態から開放される。
舌状厚紙３１４が上顎厚紙３１２の突出部分に固着され、この突出部分は、胴体厚紙３１１の空洞が潰れることによって、厚紙玩具３０が置かれた設置面に押し付けられる。この上顎厚紙３１２の突出部分は下方の下顎厚紙３１３から押されるので、下方を向いていた突出部分は設置面に平行となって前方を向く。これによって、上顎厚紙３１２の先端が下顎厚紙３１２から持ち上げられ、舌状厚紙３１４が露出する。
【００３１】
次に、図９を用いて、本発明に係る厚紙玩具３０の型紙シートについて説明する。図９は、本発明に係る厚紙玩具３０の型紙シートの一例を示す平面図である。
図９に示すように、型紙シート３２０には、胴体厚紙３１１、上顎厚紙３１２、下顎厚紙３１３、舌状厚紙３１４の展開図が印刷されている。具体的には、胴体厚紙３１１、上顎厚紙３１２、下顎厚紙３１３、舌状厚紙３１４の各厚紙が切り開かれた状態で印刷されている。このように印刷された型紙シート３２０には、のりしろ３２１、山折線３２２、谷折線３２３等が印刷されている。
このように、厚紙玩具３０では、複雑な立体形状を実現することができ、胴体が押さえられると上顎を開け、放すと上顎を閉めるワニを実現することができる。
【００３２】
発明の実施の形態３．
実施形態２では、押さえられると口が開閉するようなワニのような厚紙玩具３０について説明したが、本実施形態３では、押すと潰れるが、放すと元の立体形状となる厚紙玩具について説明する。
まず、図１０を用いて、本実施形態３における厚紙玩具の全体構成について説明する。図１０は、本実施形態３の厚紙玩具の一構成例を示す斜視模式図である。図１０に示すように、厚紙玩具４０は、正十二面体状の概観形状を有し、所定の面が押されることによって平面状に潰れたような形状となる。
【００３３】
続いて、図１１を用いて、本実施形態３の厚紙玩具４０について詳細に説明する。図１１は、本実施形態３の厚紙玩具４０の一構成例を示す斜視模式図である。
図１１に示すように、厚紙玩具４０は、外形厚紙４１、内側厚紙４２、輪ゴム４３を有する。図１１に示すように、外形厚紙４１は、１つの基本となる五角形状厚紙の各辺に５つの五角形状厚紙が固着された形状を有する。ここで、基本となる五角形状厚紙と５つの五角形状厚紙のみが５箇所で固着され、これらの箇所以外においては隣接する五角形状厚紙は互いに固着されていない。この固着された５箇所は、この固着部分を軸として回動可能であり、より具体的には、この固着部分で折り曲げ可能となっている。
【００３４】
内側厚紙４２もまた、外形厚紙４１と同様の形状を有する。輪ゴム４３は、内側厚紙４２の５つの五角形状厚紙に取付けられ、詳細にはその外縁を囲むように引っ掛けられている。内側厚紙４２は、輪ゴム４３が嵌められた状態で外形厚紙４１の内側に固着され、詳細には、両厚紙４１,４２の基本となる五角形状厚紙が対向した状態では位置され、他の５つの五角形状厚紙がそれぞれ固着される。
【００３５】
このように内側厚紙４２が外形厚紙４１内側に固着された立体的な部品は、厚紙玩具４０の半分を構成している。そのため、この部品と同じ部品がこれとは別に一体作製される。作製された一組の部品は、双方の内側厚紙４２の基本となる五角形状厚紙同士が固着される。
【００３６】
厚紙玩具４０では、内側厚紙４２が輪ゴム４３の弾性によってすぼむように５つの五角形状厚紙が内側に寄せられ、これに応じて外形厚紙４１もまた内側に寄せられる。外形厚紙４１の５つの五角形所厚紙が隣接した変同士が接触することによって、十二面体状の外形が構成される。厚紙玩具４０は、両厚紙４１,４２の基本となる五角形状厚紙に平行な面で外部から押されると、両厚紙４１,４２の各五角形状厚紙は広がり、両厚紙４１,４２が平面状に当接することによって平面状に形状が変化する。厚紙玩具４０は、押さえられた状態から開放されると、内側厚紙４２が輪ゴム４３の弾性のよって内側にすぼみ、それに応じて外形厚紙４１もまた内側にすぼむ。これによって、厚紙玩具４０は、元の形に戻る。
【００３７】
次に、図１２を用いて、本発明に係る厚紙玩具４０の型紙シートについて説明する。図１２は、本発明に係る厚紙玩具４０の型紙シートの一例を示す平面図である。
図１２に示すように、型紙シート４４０には、一組の外形厚紙４１、内側厚紙４２の展開図が印刷されている。具体的には、外形厚紙４１が切り開かれた状態で印刷され、内側厚紙４２もまた切り開かれた状態で印刷されている。このように印刷された型紙シート４４０には、のりしろ４４１、山折線４４２等が印刷されている。
このように、本発明に係る厚紙玩具４０では、複雑な立体形状を実現することができ、押すと潰れ、放すと元に戻る正十二面体を構成することができる。
【００３８】
その他の発明の実施の形態．
本実施形態１〜３を適宜組み合わせることもできる。例えば、実施形態１の収納部１２に、実施形態３の厚紙玩具４０を平面形状にして収納し、取り出したときに立体形状となるように構成することもできる。
また例えば、動物を模した形状を有する本体部に、折り畳み部分を設け、この折り畳み部分で折り畳むことによって立体形状から平面形状となるように構成することができる。この場合には、輪ゴムは、折り畳み部分の内側に取付けられ、折り畳み部分が折り畳まれる方向に弾性を有する。このように構成することによって、本体部が折り畳まれて平面形状になると、輪ゴムは折り畳み部分を引っ張られている。本体部が平面形状で収納部に収納された後、この収納部から取り出されると、輪ゴムの弾性によって本体部が平面形状から元の立体形状となる。またこのとき、実施の形態１のように、本体部の一部が収納部の収納口から露出していてもよいし、この露出部分を本体部の特徴的な部分としてもよい。
【図面の簡単な説明】
【００３９】
【図１】本発明に係る厚紙玩具の全体構成の一例を示す斜視図である。
【図２】本発明に係る厚紙玩具の全体構成の一例を示す斜視図である。
【図３】本発明に係る厚紙玩具の内部構成の一例を示す斜視図である。
【図４】本発明に係る厚紙玩具の使用形態の一例を示す斜視図である。
【図５】本発明に係る厚紙玩具の型紙シートの一例を示す平面図である。
【図６】本発明に係る厚紙玩具の全体構成の一例を示す斜視図である。
【図７】本発明に係る厚紙玩具の全体構成の一例を示す斜視図である。
【図８】本発明に係る厚紙玩具の内部構成の一例を示す斜視図である。
【図９】本発明に係る厚紙玩具の型紙シートの一例を示す平面図である。
【図１０】本発明に係る厚紙玩具の全体構成の一例を示す斜視図である。
【図１１】本発明に係る厚紙玩具の内部構成の一例を示す斜視図である。
【図１２】本発明に係る厚紙玩具の型紙シートの一例を示す平面図である。
【符号の説明】
【００４０】
１…厚紙玩具、１１…本体部、１２…収納部、１２０…切欠き部、
２１１，２１２…外形厚紙、２１３，２１４…口状開口部、２１５…輪ゴム、
２１６…舌状厚紙、
２１０…型紙シート、２１１…のりしろ、２１２…山折線、２１３…谷折線
３０…厚紙玩具、３１１…胴体厚紙、３１２…上顎厚紙、３１３…下顎厚紙、
３１４…舌状厚紙、３１５…輪ゴム、
３２０…型紙シート、３２１…のりしろ、３２２…山折線、３２３…谷折線
４０…厚紙玩具、４１…外形厚紙、４２…内側厚紙、４３…輪ゴム、
４４０…型紙シート、４４１…のりしろ、４４２…山折線
【図１】
2007275288.tif 000003
【図２】
2007275288.tif 000004
【図３】
2007275288.tif 000005
【図４】
2007275288.tif 000006
【図５】
2007275288.tif 000007
【図６】
2007275288.tif 000008
【図７】
2007275288.tif 000009
【図８】
2007275288.tif 000010
【図９】
2007275288.tif 000011
【図１０】
2007275288.tif 000012
【図１１】
2007275288.tif 000013
【図１２】
2007275288.tif 000014